Podtech/llm-jp-corpus-v4-ja_patent huggingface dataset:
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
着座者の心電位に応じた電位信号を検出する電極部を有する心拍センサと、
前記着座者の呼吸に伴って変動する圧力信号を検出する呼吸センサと、
前記心拍センサから得られた前記電位信号と前記呼吸センサにより得られた前記圧力信号とにより前記着座者の意識レベルを特定するための演算を行なう演算処理装置と、
前記着座者の座部となるシートクッションと、
前記着座者の背凭れとなるシートバックと、
を備えるシートであって、
前記呼吸センサは、前記シートクッションに配置され、
前記心拍センサは、前記シートバックに配置されていることを特徴とするシート。
【請求項２】
前記心拍センサと前記呼吸センサとは、シート幅方向において同じ位置に配置されていることを特徴とする請求項１に記載のシート。
【請求項３】
前記シートバックは、シート幅方向において、第一バック領域と、第二バック領域と、該第一バック領域と該第二バック領域との間に形成された中央バック領域とに区分けされており、
前記心拍センサは、前記中央バック領域内に配置されており、
前記シートクッションは、シート幅方向において、第一クッション領域と、第二クッション領域と、該第一クッション領域と該第二クッション領域との間に形成された中央クッション領域とに区分けされており、
前記呼吸センサは、前記中央クッション領域内に配置されていることを特徴とする請求項１又は２に記載のシート。
【請求項４】
前記シートバックは、シート幅方向の両端側に、前方に向かって隆起する第一隆起部分を備え、
前記心拍センサは、前記第一隆起部分を避けて配置され、
前記シートクッションは、シート幅方向の両端側に、上方に向かって隆起する第二隆起部分を備え、
前記呼吸センサは、前記第二隆起部分を避けて配置されることを特徴とする請求項１乃至３のいずれか一項に記載のシート。
【請求項５】
前記心拍センサは、シート幅方向に複数設けられており、
前記複数の心拍センサのうち、互いに隣り合う心拍センサの間には隙間が設けられており、
前記呼吸センサと前記隙間とは、前記シートの前後方向に沿って並ぶ位置関係で配置されていることを特徴とする請求項１乃至４のいずれか一項に記載のシート。
【請求項６】
前記心拍センサは、シート幅方向に複数設けられており、
前記複数の心拍センサのうち、それぞれの幅方向外側に位置する端部が前記シートの下方に向かって延出しており、
前記呼吸センサの両端部が、前記シートの後方に向かって延出していることを特徴とする請求項１乃至４のいずれか一項に記載のシート。
【請求項７】
前記隙間に導電布を備え、
前記呼吸センサと前記導電布とは、前記シートの前後方向に沿って並ぶ位置関係で配置されていることを特徴とする請求項５に記載のシート。
【請求項８】
前記心拍センサの電極部は、導電シートと複数の導線とから構成されており、
前記導電シートには切り込み部が形成されており、
前記切り込み部は、前記呼吸センサと前記シートの前後方向に沿って並ぶ位置関係で配置されることを特徴とする請求項１乃至７のいずれか一項に記載のシート。
【手続補正２】
【補正対象書類名】明細書
【補正対象項目名】０００８
【補正方法】変更
【補正の内容】
【０００８】
本発明は、好適に心電信号を検出することが可能なシートを提供することを目的とする。
【手続補正３】
【補正対象書類名】明細書
【補正対象項目名】０００９
【補正方法】変更
【補正の内容】
【０００９】
前記課題は、本発明に係るシートによれば、着座者の心電位に応じた電位信号を検出する電極部を有する心拍センサと、前記着座者の呼吸に伴って変動する圧力信号を検出する呼吸センサと、前記心拍センサから得られた前記電位信号と前記呼吸センサにより得られた前記圧力信号とにより前記着座者の意識レベルを特定するための演算を行なう演算処理装置と、前記着座者の座部となるシートクッションと、前記着座者の背凭れとなるシートバックと、を備えるシートであって、前記呼吸センサは、前記シートクッションに配置され、前記心拍センサは、前記シートバックに配置されていること、により解決される。
【手続補正４】
【補正対象書類名】明細書
【補正対象項目名】００１０
【補正方法】変更
【補正の内容】
【００１０】
上記構成によれば、好適に心電信号を検出することができる。
【手続補正５】
【補正対象書類名】明細書
【補正対象項目名】００１１
【補正方法】変更
【補正の内容】
【００１１】
また、前記心拍センサと前記呼吸センサとは、シート幅方向において同じ位置に配置されていると好ましい。
【手続補正６】
【補正対象書類名】明細書
【補正対象項目名】００１２
【補正方法】変更
【補正の内容】
【００１２】
また、前記シートバックは、シート幅方向において、第一バック領域と、第二バック領域と、該第一バック領域と該第二バック領域との間に形成された中央バック領域とに区分けされており、前記心拍センサは、前記中央バック領域内に配置されており、前記シートクッションは、シート幅方向において、第一クッション領域と、第二クッション領域と、該第一クッション領域と該第二クッション領域との間に形成された中央クッション領域とに区分けされており、前記呼吸センサは、前記中央クッション領域内に配置されていると好ましい。
【手続補正７】
【補正対象書類名】明細書
【補正対象項目名】００１３
【補正方法】変更
【補正の内容】
【００１３】
また、前記シートバックは、シート幅方向の両端側に、前方に向かって隆起する第一隆起部分を備え、前記心拍センサは、前記第一隆起部分を避けて配置され、前記シートクッションは、シート幅方向の両端側に、上方に向かって隆起する第二隆起部分を備え、前記呼吸センサは、前記第二隆起部分を避けて配置されると好ましい。
【手続補正８】
【補正対象書類名】明細書
【補正対象項目名】００１４
【補正方法】変更
【補正の内容】
【００１４】
また、前記心拍センサは、シート幅方向に複数設けられており、前記複数の心拍センサのうち、互いに隣り合う心拍センサの間には隙間が設けられており、前記呼吸センサと前記隙間とは、前記シートの前後方向に沿って並ぶ位置関係で配置されていると好ましい。
【手続補正９】
【補正対象書類名】明細書
【補正対象項目名】００１５
【補正方法】変更
【補正の内容】
【００１５】
また、前記心拍センサは、シート幅方向に複数設けられており、前記複数の心拍センサのうち、それぞれの幅方向外側に位置する端部が前記シートの下方に向かって延出しており、前記呼吸センサの両端部が、前記シートの後方に向かって延出していると好ましい。
また、前記隙間に導電布を備え、前記呼吸センサと前記導電布とは、前記シートの前後方向に沿って並ぶ位置関係で配置されていると好ましい。
また、前記心拍センサの電極部は、導電シートと複数の導線とから構成されており、前記導電シートには切り込み部が形成されており、前記切り込み部は、前記呼吸センサと前記シートの前後方向に沿って並ぶ位置関係で配置されると好ましい。
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
蒸気弁−蓋プレートユニット（１）と、蓋体と、を含み、前記蓋体の内側に第１のバックル（６）が形成され、
前記蒸気弁−蓋プレートユニット（１）は、蓋プレート（１−３）と、蒸気弁蓋（１−４）と、蒸気弁座（１−５）と、蓋プレート（１−３）の片側に形成された第２のバックル（１−６）と、を含み、
前記蒸気弁−蓋プレートユニット（１）は、前記第２のバックル（１−６）を介して前記蓋体の前記第１のバックル（６）とバックル係合されて前記蓋体の内側に一体で取り外し可能に設置され、
前記蒸気弁蓋（１−４）及び前記蒸気弁座（１−５）のうちの一方は、前記蓋プレート（１−３）と一体にモールド成形されるか、取り外し可能又は不可能な接続方式により前記蓋プレート（１−３）に接続されることで、蓋プレートユニットを構成し、
前記蒸気弁−蓋プレートユニット（１）は、前記第２のバックル（１−６）を介して前記蓋体の前記第１のバックル（６）とバックル係合された場合、少なくとも前記蒸気弁−蓋プレートユニット（１）の一部が露出し、外から見えることを特徴とする電気調理器具の上蓋。
【請求項２】
前記蒸気弁蓋（１−４）は、取り外し可能な方式により、前記蓋プレートユニットに接続することで、一体式の蒸気弁−蓋プレートユニット（１）が形成されることを特徴とする請求項１に記載の電気調理器具の上蓋。
【請求項３】
前記蓋体と前記蒸気弁−蓋プレートユニット（１）との間に環状パッキンリング（４）が設けらされ、
前記環状パッキンリング（４）は、前記蓋体と前記蒸気弁蓋（１−４）との間をシールし、前記蒸気弁蓋（１−４）の側面に設けられ、
前記蒸気弁蓋（１−４）の一部は、前記環状パッキンリング（４）を貫通して、前記蒸気弁蓋（１−４）の一部が露出することを特徴とする請求項２に記載の電気調理器具の上蓋。
【請求項４】
前記蓋体は、前記蓋体の最外層である表面蓋（２）と内蓋（３）とを含み、前記表面蓋（２）と前記内蓋（３）が係合して接続し、前記環状パッキンリング（４）は、前記表面蓋（２）と前記内蓋（３）の間に固定されることを特徴とする請求項３に記載の電気調理器具の上蓋。
【請求項５】
前記蓋体は、前記蓋体の最外層である表面蓋（２）を含み、
前記表面蓋（２）は、外向きに突出した円弧状であり、
前記蒸気弁蓋（１−４）は、前記表面蓋（２）に近い、外向きに突出した最高点が一部露出することを特徴とする請求項２に記載の電気調理器具の上蓋。
【請求項６】
前記蓋プレート（１−３）の側面に前記第２のバックル（１−６）が形成され、前記第２のバックル（１−６）は、可動バックルであり、
前記蓋体の内側に前記第１のバックル（６）が形成され、前記第１のバックル（６）が固定バックルであり、
前記蒸気弁−蓋プレートユニット（１）は、更に、蓋プレート（１−３）の最外側に設置されたブランクホルダー（１−１）と、前記ブランクホルダー（１−１）の内側に設置され、前記蓋プレート（１−３）と接触するシールリング（１−２）と、を含むことを特徴とする請求項２に記載の電気調理器具の上蓋。
【請求項７】
前記蒸気弁蓋（１−４）及び前記蒸気弁座（１−５）それぞれは、取り外し可能な方式により、前記蓋プレート（１−３）に接続し、
前記蒸気弁座（１−５）が、前記蓋プレート（１−３）の貫通穴を貫通して前記蒸気弁蓋（１−４）と接続し、
前記蒸気弁蓋（１−４）がバックル係止方式により蒸気弁座（１−５）と係合され、
前記蓋プレート（１−３）が互いに係合される蒸気弁蓋（１−４）と蒸気弁座（１−５）との間に介在されることを特徴とする請求項２に記載の電気調理器具の上蓋。
【手続補正書】
【提出日】令和2年8月6日(2020.8.6)
【手続補正１】
【補正対象書類名】特許請求の範囲
【補正対象項目名】全文
【補正方法】変更
【補正の内容】
【特許請求の範囲】
【請求項１】
本体装置と、当該本体装置に装着可能な第１操作装置および第２操作装置とを備える情報処理システムであって、
前記本体装置は、表示装置を備え、
前記第１操作装置は、第１方向入力部を備え、
前記第２操作装置は、第２方向入力部を備え、
前記本体装置は、
前記第１操作装置および前記第２操作装置が当該本体装置に装着されている状態において、前記第１操作装置および前記第２操作装置から受信される各操作データを１人のユーザによる操作として用いて処理を実行する第１モードと、
前記第１操作装置および前記第２操作装置が当該本体装置に装着されていない状態において、前記第１操作装置から受信される操作データを１人のユーザによる操作として用いるとともに、前記第２操作装置から受信される操作データを別のユーザによる操作として用いて処理を実行する第２モードとで少なくとも動作することが可能であり、
前記第１方向入力部に対するある方向の入力を、前記第１モードと前記第２モードとで異なる方向の入力であると解釈して処理を実行する、情報処理システム。
【請求項２】
前記第１操作装置は、
上下方向に長い形状であり、
前記第１方向入力部が設けられる面において当該第１方向入力部よりも上側または下側に第１入力部をさらに備え、
前記第１方向入力部と前記第１入力部とが上下に配置される向きで前記本体装置の左側または右側に装着される、請求項１に記載の情報処理システム。
【請求項３】
前記本体装置は、
前記第１モードにおいて、前記第１方向入力部に対する上向きの入力を、上方向を示す入力と解釈し、
前記第２モードにおいて、前記第１方向入力部に対する上向きの入力を、左方向を示す入力と解釈する、請求項２に記載の情報処理システム。
【請求項４】
前記第１操作装置は、前記第１方向入力部が設けられる面に第１入力部をさらに備え、
前記第２操作装置は、前記第２方向入力部が設けられる面に第２入力部をさらに備え、
前記第１操作装置および前記第２操作装置が前記本体装置から外されている状態であって、かつ、
前記第１操作装置が前記本体装置に装着されているときに当該本体装置側を向く当該第１操作装置の面と、前記第２操作装置が前記本体装置に装着されているときに当該本体装置側を向く当該第２操作装置の面とを同じ方向に向けた状態において、前記第１方向入力部と前記第１入力部の位置関係は、前記第２方向入力部と前記第２入力部の位置関係と同じになる、請求項１に記載の情報処理システム。
【請求項５】
前記本体装置は、
前記第１モードにおいて、前記第１操作装置および前記第２操作装置から受信される各操作データに基づいて１つの操作対象を制御し、
前記第２モードにおいて、前記第１操作装置から受信される操作データに基づいて第１操作対象を制御し、前記第２操作装置から受信される操作データに基づいて、第１操作対象とは異なる第２操作対象を制御する、請求項１から請求項４のいずれか１項に記載の情報処理システム。
【請求項６】
前記本体装置は、前記第１操作装置と前記第２操作装置との組が設定される場合、１組の各操作装置から受信される２つの操作データを１人のユーザによる操作として処理を実行する、請求項１から請求項５のいずれか１項に記載の情報処理システム。
【請求項７】
第１操作装置および第２操作装置を装着可能な情報処理装置であって、
前記第１操作装置は、第１方向入力部を備え、
前記第２操作装置は、第２方向入力部を備え、
前記情報処理装置は、
前記第１操作装置および前記第２操作装置が当該情報処理装置に装着されている状態において、前記第１操作装置および前記第２操作装置から受信される各操作データを１人のユーザによる操作として用いて処理を実行する第１モードと、
前記第１操作装置および前記第２操作装置が当該情報処理装置に装着されていない状態において、前記第１操作装置から受信される操作データを１人のユーザによる操作として用いるとともに、前記第２操作装置から受信される操作データを別のユーザによる操作として用いて処理を実行する第２モードとで少なくとも動作することが可能であり、
前記第１方向入力部に対するある方向の入力を、前記第１モードと前記第２モードとで異なる方向の入力であると解釈して処理を実行する、情報処理装置。
【請求項８】
第１操作装置および第２操作装置を装着可能な情報処理装置のコンピュータにおいて実行される情報処理プログラムであって、
前記第１操作装置は、第１方向入力部を備え、
前記第２操作装置は、第２方向入力部を備え、
前記情報処理プログラムは、
前記第１操作装置および前記第２操作装置が当該情報処理装置に装着されている状態において、前記第１操作装置および前記第２操作装置から受信される各操作データを１人のユーザによる操作として用いて処理を実行する第１モードと、
前記第１操作装置および前記第２操作装置が当該情報処理装置に装着されていない状態において、前記第１操作装置から受信される操作データを１人のユーザによる操作として用いるとともに、前記第２操作装置から受信される操作データを別のユーザによる操作として用いて処理を実行する第２モードとで前記コンピュータを少なくとも動作させることが可能であり、
前記第１方向入力部に対するある方向の入力を、前記第１モードと前記第２モードとで異なる方向の入力であると解釈して処理を前記コンピュータに実行させる、情報処理プログラム。
【請求項９】
本体装置と、当該本体装置に装着可能な第１操作装置および第２操作装置とを備える情報処理システムによって実行される情報処理方法であって、
前記本体装置は、表示装置を備え、
前記第１操作装置は、第１方向入力部を備え、
前記第２操作装置は、第２方向入力部を備え、
前記本体装置は、
前記第１操作装置および前記第２操作装置が当該本体装置に装着されている状態において、前記第１操作装置および前記第２操作装置から受信される各操作データを１人のユーザによる操作として用いて処理を実行する第１モードと、
前記第１操作装置および前記第２操作装置が当該本体装置に装着されていない状態において、前記第１操作装置から受信される操作データを１人のユーザによる操作として用いるとともに、前記第２操作装置から受信される操作データを別のユーザによる操作として用いて処理を実行する第２モードとで少なくとも動作し、
前記第１方向入力部に対するある方向の入力を、前記第１モードと前記第２モードとで異なる方向の入力であると解釈して処理を実行する、情報処理方法。
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
始動条件の成立により遊技情報を取得し、判定条件が成立すると前記遊技情報に基づいて、遊技者に有利な特別遊技を実行するか否かの特別遊技判定を実行する遊技機において、
通常遊技状態と、前記通常遊技状態よりも遊技者に有利な有利遊技状態とに制御することが可能な遊技状態制御手段と、
一の前記特別遊技判定の結果に基づいて、
所定の表示領域において複数の装飾図柄の変動表示を行った後、前記所定の表示領域の全ての前記装飾図柄を確認可能な確認表示を行う変動演出を実行可能な演出制御手段と、を備え、
前記変動演出は、
リーチを行って前記特別遊技を実行しないことを示す態様で前記確認表示を行う第１変動演出と、
前記リーチを行わずに前記特別遊技を実行しないことを示す態様で前記確認表示を行う第２変動演出と、を含み、
前記第１変動演出よりも、前記第２変動演出の方が、前記確認表示の実行時間を短くすることが可能であり、
前記通常遊技状態における前記第２変動演出よりも、前記有利遊技状態における前記第２変動演出の方が、前記確認表示の実行時間を短くすることが可能な、ことを特徴とする遊技機。
【手続補正２】
【補正対象書類名】明細書
【補正対象項目名】０００７
【補正方法】変更
【補正の内容】
【０００７】
上記課題を解決するため本発明は、始動条件の成立により遊技情報を取得し、判定条件が成立すると前記遊技情報に基づいて、遊技者に有利な特別遊技（大当たり遊技）を実行するか否かの特別遊技判定を実行する遊技機において、通常遊技状態（非時短遊技状態）と、前記通常遊技状態よりも遊技者に有利な有利遊技状態（時短遊技状態）とに制御することが可能な遊技状態制御手段と、一の前記特別遊技判定の結果に基づいて、所定の表示領域において複数の装飾図柄（演出図柄７０ａ）の変動表示を行った後、前記所定の表示領域の全ての前記装飾図柄を確認可能な確認表示（仮停止表示及び本停止表示、仮停止表示のみ、又は、本停止表示のみ）を行う変動演出を実行可能な演出制御手段（演出制御基板１３０）と、を備え、前記変動演出は、リーチを行って前記特別遊技を実行しないことを示す態様で前記確認表示を行う第１変動演出（ノーマルリーチ、ＳＰリーチ、ＳＰＳＰリーチ）と、前記リーチを行わずに前記特別遊技を実行しないことを示す態様で前記確認表示を行う第２変動演出（通常変動、短縮変動）と、を含み、前記第１変動演出よりも、前記第２変動演出の方が、前記確認表示の実行時間を短くすることが可能であり、前記通常遊技状態における前記第２変動演出よりも、前記有利遊技状態における前記第２変動演出の方が、前記確認表示の実行時間を短くすることが可能な、ことを特徴とする。
【手続補正３】
【補正対象書類名】明細書
【補正対象項目名】０４８０
【補正方法】変更
【補正の内容】
【０４８０】
つまり、保留数が１又は２のときは、演出図柄７０ａは仮停止表示を行い、仮停止表示の実行時間が経過すると、演出図柄７０ａが光ったようなアクション（動作、表示）を行った後、本停止表示を実行するが、保留数が３又は４のときは、演出図柄７０ａは仮停止表示、及び、演出図柄７０ａが光ったようなアクション（動作、表示）を行わずに、本停止表示を実行するとも言える。
【手続補正４】
【補正対象書類名】明細書
【補正対象項目名】０４８１
【補正方法】変更
【補正の内容】
【０４８１】
また、本実施の形態の変動パターン決定テーブルでは、リーチとならない場合であって保留数が１又は２のときは通常変動演出を実行し、保留数が３又は４のときは短縮変動演出を実行するようにしていたが、保留数に係らず、通常変動演出、及び、短縮変動演出を実行可能としても良い。このようにする場合でも、保留数が１又は２のときは短縮変動演出よりも通常変動演出を実行し易いようにし、保留数が３又は４のときは通常変動演出よりも短縮変動演出を実行し易いようにすれば良い。
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
遊技機前面部の支持ベースに形成された窓部と、
前記支持ベースにおいて遊技機後方を向く後向き面と、
前記窓部による開口を遊技機後方側から塞ぐように前記支持ベースの背面側に着脱可能に構成された窓パネルと、
を備え、
当該窓パネルを通じて、遊技領域が遊技機前方から視認可能とされた遊技機において、
前記窓パネルは、前記後向き面に遊技機後方側から当接した状態と分離した状態とに変位可能に構成されており、
前記支持ベースは、前記窓パネルが前記後向き面に遊技機後方側から当接した状態を保持させるロック位置と、前記窓パネルの遊技機後方側への変位を許容する非ロック位置とに変位可能なロック手段を備え、
前記ロック位置にある前記ロック手段が遊技機後方側へ所定量以上変位した場合に当接する一方、前記窓パネルに対して遊技機後方から対向しないように設けられた手段を備え、
前記支持ベースの背面側には、前記後向き面から遊技機後方側へと突出し、前記窓パネルが前記後向き面に遊技機後方側から当接した状態となる変位に際して当該窓パネルを下方から受けることが可能なパネル受け部が設けられており、
当該パネル受け部は、前記後向き面に対して遊技機後方側に離間した位置にて、前記後向き面に対向する対向部を有しており、
前記窓部の周縁部には、前記後向き面と前記対向部とにより前後方向が区画され前記窓パネル側に向けて開放された溝部が形成されており、
前記窓パネルは、前記溝部に入り込む部位を有していることを特徴とする遊技機。
【請求項２】
パチンコ機であることを特徴とする請求項１に記載の遊技機。
【手続補正２】
【補正対象書類名】明細書
【補正対象項目名】０００２
【補正方法】変更
【補正の内容】
【０００２】
遊技機の一種であるパチンコ機は、その遊技機前面部に、遊技球を貯留する球受け皿が設けられている。当該球受け皿に貯留された遊技球は遊技球発射機構に案内される。また、遊技機前面部には遊技者によって発射操作がなされる発射操作装置が設けられており、当該発射操作装置が遊技者によって操作されることで、上記遊技球発射機構に案内された遊技球が遊技領域へ打ち出される。そして、例えば遊技領域に設けられた入賞口に遊技球が入球することにより、球受け皿に対して所定数の遊技球が払い出される。また、遊技機前面部における球受け皿の上方には窓パネルが設けられており、当該窓パネルを通じて遊技機前方から遊技領域が視認可能となっている（例えば特許文献１参照）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】削除
【補正の内容】
【手続補正６】
【補正対象書類名】明細書
【補正対象項目名】０００７
【補正方法】変更
【補正の内容】
【０００７】
ここで、上記例示等のような遊技機においては、窓部と窓パネルとの間の隙間から不正用治具を挿入する行為が想定され、当該不正行為を阻止することが可能な構成が求められている。
【手続補正７】
【補正対象書類名】明細書
【補正対象項目名】０００８
【補正方法】変更
【補正の内容】
【０００８】
本発明は、上記例示した事情等に鑑みてなされたものであり、窓部と窓パネルとの間の隙間から不正用治具を挿入して行う不正行為を阻止することが可能な遊技機を提供することを目的とするものである。
【手続補正８】
【補正対象書類名】明細書
【補正対象項目名】０００９
【補正方法】変更
【補正の内容】
【０００９】
上記課題を解決すべく請求項１記載の発明は、遊技機前面部の支持ベースに形成された窓部と、
前記支持ベースにおいて遊技機後方を向く後向き面と、
前記窓部による開口を遊技機後方側から塞ぐように前記支持ベースの背面側に着脱可能に構成された窓パネルと、
を備え、
当該窓パネルを通じて、遊技領域が遊技機前方から視認可能とされた遊技機において、
前記窓パネルは、前記後向き面に遊技機後方側から当接した状態と分離した状態とに変位可能に構成されており、
前記支持ベースは、前記窓パネルが前記後向き面に遊技機後方側から当接した状態を保持させるロック位置と、前記窓パネルの遊技機後方側への変位を許容する非ロック位置とに変位可能なロック手段を備え、
前記ロック位置にある前記ロック手段が遊技機後方側へ所定量以上変位した場合に当接する一方、前記窓パネルに対して遊技機後方から対向しないように設けられた手段を備え、
前記支持ベースの背面側には、前記後向き面から遊技機後方側へと突出し、前記窓パネルが前記後向き面に遊技機後方側から当接した状態となる変位に際して当該窓パネルを下方から受けることが可能なパネル受け部が設けられており、
当該パネル受け部は、前記後向き面に対して遊技機後方側に離間した位置にて、前記後向き面に対向する対向部を有しており、
前記窓部の周縁部には、前記後向き面と前記対向部とにより前後方向が区画され前記窓パネル側に向けて開放された溝部が形成されており、
前記窓パネルは、前記溝部に入り込む部位を有していることを特徴とする。
【手続補正９】
【補正対象書類名】明細書
【補正対象項目名】００１０
【補正方法】変更
【補正の内容】
【００１０】
本発明によれば、窓部と窓パネルとの間の隙間から不正用治具を挿入して行う不正行為を阻止することが可能となる。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
演出開始コマンドの受信に基づいて識別情報の変動表示を開始し、所定時間経過後に停止表示する識別情報表示手段と、
音声コマンドの受信に基づいて音声を出力する音声出力手段と、
前記識別情報表示手段と音声出力手段とに、所定のコマンドを送信可能なコマンド出力手段と、を備え、
前記識別情報の停止表示に係る音声コマンドに基づいて停止音を出力可能な遊技機であって、
遊技状態として、第１状態と、第１状態よりも前記識別情報の変動時間の平均時間が短い第２状態と、を有し、
前記第１状態と前記第２状態とで、前記識別情報の停止表示に係る音声コマンドを送信するタイミングが異なり、
前記識別情報は、複数の図柄にて構成され、
前記第１状態では、前記識別情報を構成する前記複数の図柄のそれぞれが異なるタイミングで停止表示可能であるとともに、前記複数の図柄のそれぞれが停止表示される毎に停止音が出力可能であり、
前記第２状態では、前記識別情報を構成する前記複数の図柄が同時に停止表示可能であるとともに、前記複数の図柄が同時に停止表示される際に１回の停止音が出力可能である
ことを特徴とする遊技機。
【手続補正２】
【補正対象書類名】明細書
【補正対象項目名】０００８
【補正方法】変更
【補正の内容】
【０００８】
本発明の遊技機は、
演出開始コマンドの受信に基づいて識別情報の変動表示を開始し、所定時間経過後に停止表示する識別情報表示手段と、
音声コマンドの受信に基づいて音声を出力する音声出力手段と、
前記識別情報表示手段と音声出力手段とに、所定のコマンドを送信可能なコマンド出力手段と、を備え、
前記識別情報の停止表示に係る音声コマンドに基づいて停止音を出力可能な遊技機であって、
遊技状態として、第１状態と、第１状態よりも前記識別情報の変動時間の平均時間が短い第２状態と、を有し、
前記第１状態と前記第２状態とで、前記識別情報の停止表示に係る音声コマンドを送信するタイミングが異なり、
前記識別情報は、複数の図柄にて構成され、
前記第１状態では、前記識別情報を構成する前記複数の図柄のそれぞれが異なるタイミングで停止表示可能であるとともに、前記複数の図柄のそれぞれが停止表示される毎に停止音が出力可能であり、
前記第２状態では、前記識別情報を構成する前記複数の図柄が同時に停止表示可能であるとともに、前記複数の図柄が同時に停止表示される際に１回の停止音が出力可能であることを特徴とする。
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
演出開始コマンドの受信に基づいて識別情報の変動表示を開始し、所定時間経過後に停止表示する識別情報表示手段と、
音声コマンドの受信に基づいて音声を出力する音声出力手段と、
前記識別情報表示手段と音声出力手段とに、所定のコマンドを送信可能なコマンド出力手段と、を備え、
前記識別情報の停止表示に係る音声コマンドに基づいて停止音を出力可能な遊技機であって、
遊技状態として、第１状態と、第１状態よりも前記識別情報の変動時間の平均時間が短い第２状態と、を有し、
前記第１状態と前記第２状態とで、前記識別情報の停止表示に係る音声コマンドを送信するタイミングが異なる一方、前記第１状態と前記第２状態とは、前記識別情報の停止表示時間が同じとなる
ことを特徴とする遊技機。
【手続補正２】
【補正対象書類名】明細書
【補正対象項目名】０００８
【補正方法】変更
【補正の内容】
【０００８】
本発明の遊技機は、
演出開始コマンドの受信に基づいて識別情報の変動表示を開始し、所定時間経過後に停止表示する識別情報表示手段と、
音声コマンドの受信に基づいて音声を出力する音声出力手段と、
前記識別情報表示手段と音声出力手段とに、所定のコマンドを送信可能なコマンド出力手段と、を備え、
前記識別情報の停止表示に係る音声コマンドに基づいて停止音を出力可能な遊技機であって、
遊技状態として、第１状態と、第１状態よりも前記識別情報の変動時間の平均時間が短い第２状態と、を有し、
前記第１状態と前記第２状態とで、前記識別情報の停止表示に係る音声コマンドを送信するタイミングが異なる一方、前記第１状態と前記第２状態とは、前記識別情報の停止表示時間が同じとなることを特徴とする。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
前面側に遊技球を用いた遊技を行う遊技領域が設けられた弾球遊技機の遊技盤であって、
前記遊技領域の左下側に設けられ、水平に対し右下方に傾斜する平面状の傾斜面を有し、遊技球が前記傾斜面に沿って落下移動可能なガイド部材と、
前記遊技領域の左下側における前記傾斜面の右下方に設けられ、水平に対し右下方に傾斜する方向に略直線に並ぶ複数組の下側連釘と、
前記遊技領域の左下側における前記複数組の下側連釘の上方に設けられ、水平に対し右下方に傾斜する方向に略直線に並ぶ複数組の上側連釘とを備え、
前記上側連釘は、水平に対し右下方に傾斜する方向に略直線に並ぶ複数本の釘を有して構成され、遊技球が当該複数本の釘の上で落下移動するようにガイドし、
前記複数組の前記上側連釘同士の間隔は、遊技球が通過可能な間隔であり、
前記下側連釘は、水平に対し右下方に傾斜する方向に略直線に並ぶ複数本の釘を有して構成され、遊技球が当該複数本の釘の上で落下移動するようにガイドし、
前記複数組の前記下側連釘同士の間隔は、遊技球が通過可能な間隔であり、
水平に対する、前記傾斜面の傾斜角度は、前記複数組の前記下側連釘のうち最も左側の組における一番左の釘と前記複数組の前記下側連釘のうち左側から二番目の組における一番左の釘とを結んだ直線の傾斜角度よりも小さい角度に設定され、
前記複数組の前記下側連釘のうち最も左側の組の釘の本数は、前記複数組の前記下側連釘の中で最も少なく、
前記遊技領域における、前記複数組の前記下側連釘のうち最も左側の組よりも下方であって、前記複数組の前記上側連釘のうち最も左側の組における一番右の釘と、前記複数組の前記下側連釘のうち左側から二番目の組における一番左の釘とを通る直線上に、遊技球が入球可能な一般入賞口が設けられることを特徴とする弾球遊技機の遊技盤。
【手続補正２】
【補正対象書類名】明細書
【補正対象項目名】０００６
【補正方法】変更
【補正の内容】
【０００６】
このような目的達成のため、本発明に係る弾球遊技機の遊技盤は、前面側に遊技球を用いた遊技を行う遊技領域が設けられた弾球遊技機の遊技盤であって、前記遊技領域の左側に設けられた遊技球が通過可能な入賞口を有する入賞装置（例えば、実施形態における左側一般入賞装置５１３）と、前記遊技領域における前記入賞口の左側縁部の上方に配設された第１の遊技釘（例えば、実施形態における第１の左遊技釘５７１）と、前記遊技領域における前記入賞口の右側縁部の上方に配設された第２の遊技釘（例えば、実施形態における第２の左遊技釘５７２）と、前記遊技領域における前記第１の遊技釘の左上方に配設された第３の遊技釘（例えば、実施形態における第３の左遊技釘５７３）と、前記遊技領域における前記第１の遊技釘の右上方かつ前記第２の遊技釘の左上方に配設された第４の遊技釘（例えば、実施形態における第４の左遊技釘５７４）と、前記遊技領域における前記第２の遊技釘の右上方に配設された第５の遊技釘（例えば、実施形態における第５の左遊技釘５７５）と、前記遊技領域における前記第３の遊技釘の上方に配設され、水平に対し右下方に傾斜する方向に直線的に並ぶ複数の釘を有して構成され、遊技球が当該複数の釘の上を落下移動するようにガイドする上流側連釘（例えば、実施形態における第２上側連釘５６２）と、前記遊技領域における前記第５の遊技釘の上方かつ前記上流側連釘の右下方に配設され、水平に対し右下方に傾斜する方向に直線的に並ぶ複数の釘を有して構成され、遊技球が当該複数の釘の上を落下移動するようにガイドする下流側連釘（例えば、実施形態における第３上側連釘５６３）とを備えている。そして、前記遊技領域における前記上流側連釘と前記下流側連釘との間を遊技球が通ることが可能であり、前記上流側連釘と前記下流側連釘との間を通って落下する遊技球は、前記第３の遊技釘と前記第４の遊技釘との間、もしくは前記第４の遊技釘と前記第５の遊技釘との間を通り、前記第３の遊技釘と前記第４の遊技釘との間、もしくは前記第４の遊技釘と前記第５の遊技釘との間を通って落下する遊技球は、前記第１の遊技釘と前記第２の遊技釘との間、前記第１の遊技釘と前記第３の遊技釘との間、前記第２の遊技釘と前記第５の遊技釘との間のうちいずれかを通るように構成され、前記第３の遊技釘と前記第４の遊技釘との間、もしくは前記第４の遊技釘と前記第５の遊技釘との間を通って落下する遊技球は、前記第１の遊技釘、前記第２の遊技釘、前記第３の遊技釘、前記第４の遊技釘、および前記第５の遊技釘のうち少なくともいずれかに当接して落下する向きを変えることにより、前記第１の遊技釘と前記第２の遊技釘との間を通ることが可能である。また、前記上流側連釘と前記下流側連釘との間隔は、遊技球の直径よりも大きくて、遊技球の直径に半径を加えた長さよりも小さい間隔であり、前記第１の遊技釘と前記第２の遊技釘との間隔は、遊技球の直径よりも大きい間隔であり、前記第３の遊技釘と前記第４の遊技釘との間隔は、前記第１の遊技釘と前記第２の遊技釘との間隔よりも大きい間隔であり、前記第４の遊技釘と前記第５の遊技釘との間隔は、前記第３の遊技釘と前記第４の遊技釘との間隔よりも大きくて、遊技球の直径に半径を加えた長さより小さい間隔である。
また、本発明に係る弾球遊技機の遊技盤は、前面側に遊技球を用いた遊技を行う遊技領域が設けられた弾球遊技機の遊技盤であって、前記遊技領域の左下側に設けられ、水平に対し右下方に傾斜する平面状の傾斜面を有し、遊技球が前記傾斜面に沿って落下移動可能なガイド部材と、前記遊技領域の左下側における前記傾斜面の右下方に設けられ、水平に対し右下方に傾斜する方向に略直線に並ぶ複数組の下側連釘と、前記遊技領域の左下側における前記複数組の下側連釘の上方に設けられ、水平に対し右下方に傾斜する方向に略直線に並ぶ複数組の上側連釘とを備え、前記上側連釘は、水平に対し右下方に傾斜する方向に略直線に並ぶ複数本の釘を有して構成され、遊技球が当該複数本の釘の上で落下移動するようにガイドし、前記複数組の前記上側連釘同士の間隔は、遊技球が通過可能な間隔であり、前記下側連釘は、水平に対し右下方に傾斜する方向に略直線に並ぶ複数本の釘を有して構成され、遊技球が当該複数本の釘の上で落下移動するようにガイドし、前記複数組の前記下側連釘同士の間隔は、遊技球が通過可能な間隔であり、水平に対する、前記傾斜面の傾斜角度は、前記複数組の前記下側連釘のうち最も左側の組における一番左の釘と前記複数組の前記下側連釘のうち左側から二番目の組における一番左の釘とを結んだ直線の傾斜角度よりも小さい角度に設定され、前記複数組の前記下側連釘のうち最も左側の組の釘の本数は、前記複数組の前記下側連釘の中で最も少なく、前記遊技領域における、前記複数組の前記下側連釘のうち最も左側の組よりも下方であって、前記複数組の前記上側連釘のうち最も左側の組における一番右の釘と、前記複数組の前記下側連釘のうち左側から二番目の組における一番左の釘とを通る直線上に、遊技球が入球可能な一般入賞口が設けられていてもよい。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
ヘッド部に、切削工具を駆動可能に保持するハンドピースと、
前記ヘッド部に保持される前記切削工具を駆動する駆動部と、
前記駆動部を制御して、前記切削工具を時計回り方向に回転させる正転駆動、前記切削工具を反時計回り方向に回転させる逆転駆動のいずれかに制御する制御部とを備え、
前記制御部は、
予め定められた期間において、
前記正転駆動による駆動量が前記逆転駆動による駆動量よりも大きくなるように前記正転駆動と前記逆転駆動とを繰り返す第１期間と、
前記逆転駆動による駆動量が前記正転駆動による駆動量よりも大きくなるように前記正転駆動と前記逆転駆動とを繰り返す第２期間と、を含み、
前記第１期間の前記正転駆動の駆動量を累積した正累積駆動量と、前記第２期間の前記逆転駆動の駆動量を累積した逆累積駆動量と、が略同じになるように制御を行う、歯科用治療装置。
【請求項２】
前記制御部は、前記駆動部を制御して、前記切削工具を回転させる際の回転速度を一定にする、請求項１に記載の歯科用治療装置。
【請求項３】
前記制御部は、予め定められた期間内において、前記正累積駆動量と、前記逆累積駆動量との最大差が予め定められた角度以下となるように駆動を制御する、請求項１または請求項２に記載の歯科用治療装置。
【請求項４】
前記切削工具に加わる負荷を検出する負荷検出部をさらに備え、
前記制御部は、前記負荷検出部で検出した前記切削工具に加わる負荷に基づいて前記切削工具が切削対象物を切削する切削回転方向を判断する、請求項１〜請求項３のいずれか１項に記載の歯科用治療装置。
【請求項５】
前記制御部は、判断した前記切削回転方向が前記時計回り方向であれば判断後の駆動を前記正転駆動に制御し、判断した前記切削回転方向が前記反時計回り方向であれば判断後の駆動を前記逆転駆動に制御する、請求項４に記載の歯科用治療装置。
【請求項６】
前記制御部は、前記負荷検出部で検出した前記切削工具に加わる負荷が基準負荷以上になる場合に前記切削工具の回転が切削対象物を切削する切削回転方向の逆回転方向となるように駆動または前記切削工具の回転を停止させるように駆動を制御する、請求項４または請求項５に記載の歯科用治療装置。
【請求項７】
電気的根管長測定で得られる前記切削工具の先端の根管内での位置を検出する位置検出部をさらに備え、
前記制御部は、前記位置検出部で検出した位置が基準位置に達した場合、前記切削工具の回転が切削対象物を切削する切削回転方向の逆回転方向となるように駆動または前記切削工具の回転を停止させるように駆動を制御する、請求項１〜請求項６のいずれか１項に記載の歯科用治療装置。
【請求項８】
電気的根管長測定で得られる前記切削工具の先端の根管内での位置を検出する位置検出部をさらに備え、
前記制御部は、前記位置検出部で検出した位置に応じて、前記基準負荷を変更する、請求項６に記載の歯科用治療装置。
【請求項９】
前記制御部で判断した前記切削回転方向が前記時計回り方向、または前記反時計回り方向のいずれであるのかを使用者に対して報知する報知部をさらに備える、請求項１〜請求項８のいずれか１項に記載の歯科用治療装置。
【請求項１０】
ハンドピースのヘッド部に保持される切削工具を駆動する歯科用治療装置の駆動方法であって、
前記ヘッド部に保持される前記切削工具を駆動する駆動部を制御して、前記切削工具を時計回り方向に回転させる正転駆動、前記切削工具を反時計回り方向に回転させる逆転駆動のいずれかに制御する工程を備え、
前記工程は、
予め定められた期間において、
前記正転駆動による駆動量が前記逆転駆動による駆動量よりも大きくなるように前記正転駆動と前記逆転駆動とを繰り返す第１期間と、
前記逆転駆動による駆動量が前記正転駆動による駆動量よりも大きくなるように前記正転駆動と前記逆転駆動とを繰り返す第２期間と、を含み、
前記第１期間の前記正転駆動の駆動量を累積した正累積駆動量と、前記第２期間の前記逆転駆動の駆動量を累積した逆累積駆動量と、が略同じになるように制御を行う、歯科用治療装置の駆動方法。
【手続補正２】
【補正対象書類名】明細書
【補正対象項目名】００１０
【補正方法】変更
【補正の内容】
【００１０】
本発明に係る歯科用治療装置は、ヘッド部に、切削工具を駆動可能に保持するハンドピースと、ヘッド部に保持される切削工具を駆動する駆動部と、駆動部を制御して、切削工具を時計回り方向に回転させる正転駆動、切削工具を反時計回り方向に回転させる逆転駆動のいずれかに制御する制御部とを備え、制御部は、予め定められた期間において、正転駆動による駆動量が逆転駆動による駆動量よりも大きくなるように正転駆動と逆転駆動とを繰り返す第１期間と、逆転駆動による駆動量が正転駆動による駆動量よりも大きくなるように正転駆動と逆転駆動とを繰り返す第２期間と、を含み、第１期間の正転駆動の駆動量を累積した正累積駆動量と、第２期間の逆転駆動の駆動量を累積した逆累積駆動量と、が略同じになるように制御を行う。
【手続補正３】
【補正対象書類名】明細書
【補正対象項目名】００１１
【補正方法】変更
【補正の内容】
【００１１】
制御部は、駆動部を制御して、切削工具を回転させる際の回転速度を一定にする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
ハンドピースのヘッド部に保持される切削工具を駆動する歯科用治療装置の駆動方法であって、ヘッド部に保持される切削工具を駆動する駆動部を制御して、切削工具を時計回り方向に回転させる正転駆動、切削工具を反時計回り方向に回転させる逆転駆動のいずれかに制御する工程を備え、工程は、予め定められた期間において、正転駆動による駆動量が逆転駆動による駆動量よりも大きくなるように正転駆動と逆転駆動とを繰り返す第１期間と、逆転駆動による駆動量が正転駆動による駆動量よりも大きくなるように正転駆動と逆転駆動とを繰り返す第２期間と、を含み、第１期間の正転駆動の駆動量を累積した正累積駆動量と、第２期間の逆転駆動の駆動量を累積した逆累積駆動量と、が略同じになるように制御を行う。
【手続補正８】
【補正対象書類名】明細書
【補正対象項目名】００２３
【補正方法】削除
【補正の内容】
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
被検体の脳画像を取得する画像取得部と、
標準的な脳画像である標準脳画像と前記脳画像とを位置合わせして、前記脳画像から脳槽領域を抽出する脳槽領域抽出部と、
前記脳画像から抽出した脳槽領域の信号値分布である第１の信号値分布、および前記標準脳画像の脳槽領域の信号値分布である第２の信号値分布に基づいて、出血領域を特定する出血領域特定部とを備えた医用画像処理装置。
【請求項２】
前記出血領域特定部は、前記第１の信号値分布および前記第２の信号値分布のそれぞれを、予め定められた確率密度関数にフィッティングして、前記第１の信号値分布についての第１の確率分布および前記第２の信号値分布についての第２の確率分布を算出し、前記第１の確率分布と前記第２の確率分布との相違を表す指標値を算出し、該算出した指標値が予め定められたしきい値を超える前記脳画像から抽出した脳槽領域を、前記出血領域に特定する請求項１に記載の医用画像処理装置。
【請求項３】
前記出血領域特定部は、前記第１の信号値分布および前記第２の信号値分布に基づく特徴量を入力とし、前記出血領域であるか否かの判別結果を出力する判別器を備えた請求項１に記載の医用画像処理装置。
【請求項４】
前記標準脳画像の各画素に対して、前記脳槽領域であることの確からしさを表す確率値が設定されてなり、前記出血領域特定部は、さらに前記確率値に基づいて、前記標準脳画像と位置合わせされた前記脳画像の各画素の画素値を重み付けして、前記第１の信号値分布を算出する請求項１から３のいずれか１項に記載の医用画像処理装置。
【請求項５】
前記脳槽領域抽出部は、前記脳槽領域をさらに複数の解剖学的領域に分割し、
前記出血領域特定部は、前記複数の解剖学的領域のそれぞれの第１の信号値分布、および前記標準脳画像における前記複数の解剖学的領域のそれぞれに対応する領域の第２の信号値分布に基づいて、前記出血領域を特定する請求項１に記載の医用画像処理装置。
【請求項６】
前記出血領域特定部は、前記複数の解剖学的領域のそれぞれにおいて異なるパラメータを用いて前記出血領域を特定する請求項５に記載の医用画像処理装置。
【請求項７】
前記出血領域特定部は、前記複数の解剖学的領域のそれぞれについての前記第１の信号値分布および前記第２の信号値分布に基づく特徴量を入力とし、前記出血領域であるか否かの判別結果を出力する判別器を備えた請求項５に記載の医用画像処理装置。
【請求項８】
前記標準脳画像の各画素に対して、前記脳槽領域であることの確からしさを表す確率値が設定されてなり、前記出血領域特定部は、さらに前記確率値に基づいて、前記標準脳画像と位置合わせされた前記脳画像の各画素の画素値を重み付けして、前記複数の解剖学的領域毎に前記第１の信号値分布を算出する請求項５から７のいずれか１項に記載の医用画像処理装置。
【請求項９】
前記脳画像は、ＣＴ装置により取得されたＣＴ画像である請求項１から８のいずれか１項に記載の医用画像処理装置。
【請求項１０】
前記出血領域が特定されたことを表す情報を表示部に表示する表示制御部をさらに備えた請求項１から９のいずれか１項に記載の医用画像処理装置。
【請求項１１】
被検体の脳画像を取得し、
標準的な脳画像である標準脳画像と前記脳画像とを位置合わせして、前記脳画像から脳槽領域を抽出し、
前記脳画像から抽出した脳槽領域の信号値分布である第１の信号値分布、および前記標準脳画像の脳槽領域の信号値分布である第２の信号値分布に基づいて、出血領域を特定する医用画像処理方法。
【請求項１２】
被検体の脳画像を取得する手順と、
標準的な脳画像である標準脳画像と前記脳画像とを位置合わせして、前記脳画像から脳槽領域を抽出する手順と、
前記脳画像から抽出した脳槽領域の信号値分布である第１の信号値分布、および前記標準脳画像の脳槽領域の信号値分布である第２の信号値分布に基づいて、出血領域を特定する手順とをコンピュータに実行させる医用画像処理プログラム。
【手続補正２】
【補正対象書類名】明細書
【補正対象項目名】００６０
【補正方法】変更
【補正の内容】
【００６０】
また、第２の実施形態のように脳槽を複数の解剖学的領域に分割した場合、分割した解剖学的領域のそれぞれにおいて異なるパラメータを用いて出血領域を特定するようにしてもよい。例えば、分割した解剖学的領域のそれぞれにおいて算出された指標値がしきい値Ｔｈ２を超える場合に、その解剖学的領域を出血領域に特定する場合を考える。この場合において、しきい値Ｔｈ２をパラメータとする。ここで、第２の実施形態において使用する標準脳画像Ｂｓは、複数の健常者の脳画像を用いて作成される。その際に、複数の脳画像に含まれる脳槽領域の解剖学的領域毎に、ＣＴ値の分散を算出しておく。そして、ＣＴ値の分散が大きい解剖学的領域ほど、しきい値Ｔｈ２を大きく設定する。このように、解剖学的領域毎に異なるパラメータを用いて出血領域を特定することにより、ＣＴ値のバラツキが大きい解剖学的領域においては、出血領域を特定する際の条件がより厳しいものとなる。これにより、脳槽の解剖学的領域毎の出血領域をより精度よく特定することができる。
【手続補正３】
【補正対象書類名】明細書
【補正対象項目名】００６５
【補正方法】変更
【補正の内容】
【００６５】
また、上記第２の実施形態においても、出血領域特定部２３が判別器を備えるものとしてもよい。第２の実施形態においては、複数の解剖学的領域毎の第１の信号値分布と第２の信号値分布との差分を特徴量として入力し、解剖学的領域が出血領域であるか否かの判別結果を出力するように機械学習を行って判別器を作成すればよい。このように、第２の実施形態においても判別器を用いて出血領域を特定することができる。
【手続補正４】
【補正対象書類名】明細書
【補正対象項目名】００６９
【補正方法】変更
【補正の内容】
【００６９】
脳槽は、大脳縦裂、シルビウス裂、シルビウス谷、脳底槽および迂回槽等の解剖学的領域に分割することができる。このため、脳槽領域を複数の解剖学的領域に分割し、複数の解剖学的領域のそれぞれについての第１の信号値分布および第２の信号値分布に基づいて出血領域を特定することにより、脳槽の解剖学的領域における出血の有無を確認することができる。
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
センタサーバと、
屋内に配置され、対象ガスを検出した場合に警報を出力するガス警報機能を有するマスタ警報装置とを備え、
前記マスタ警報装置は、
前記屋内において使用されるガスの使用量を計測するガスメータと無線通信するための第１通信手段を介して、前記ガスメータから指定検針日における検針情報を取得し、
前記取得された検針情報を前記マスタ警報装置の第１のメモリに記憶し、
前記センタサーバと通信するための第２通信手段を介して、前記第１のメモリに記憶された前記指定検針日の検針情報を前記センタサーバに送信し、
複数の前記マスタ警報装置と、前記ガス警報機能を有する複数のスレーブ警報装置とを含む複数の警報装置をさらに備え、
前記複数のスレーブ警報装置の各々は、
前記第１通信手段を介して、前記ガスメータから指定検針日における検針情報を取得し、
前記取得された検針情報を当該スレーブ警報装置の第２のメモリに記憶し、
周囲に存在する警報装置を探索し、前記探索によって発見された第１の警報装置に前記第２のメモリに記憶された前記指定検針日の検針情報を送信し、
前記第１の警報装置が前記マスタ警報装置である場合、前記第１の警報装置は、前記第２通信手段を介して、前記第２のメモリに記憶された前記指定検針日の検針情報を前記センタサーバに送信する、情報処理システム。
【請求項２】
前記マスタ警報装置は、
現在日時が前記指定検針日の所定時刻に到達した場合に、前記第１通信手段を介して、当該現在日時における検針情報を送信するように前記ガスメータに指示することで当該現在日時における検針情報を取得し、
前記取得された当該現在日時における検針情報を、前記指定検針日の検針情報として前記第１のメモリに記憶する、請求項１に記載の情報処理システム。
【請求項３】
前記マスタ警報装置は、
前記屋内において前記対象ガスが検出された場合に、前記第１通信手段を介して、前記ガスメータに前記対象ガスが検出されたことを示す検出情報を送信し、前記検出情報の応答として前記ガスメータから、ガスが遮断されたことを示す遮断情報を取得し、
前記第２通信手段を介して、前記遮断情報を前記センタサーバに送信する、請求項１または２に記載の情報処理システム。
【請求項４】
前記マスタ警報装置は、前記指定検針日の検針情報の前記センタサーバへの送信が失敗した場合、当該送信が失敗してから所定期間経過後に、前記指定検針日の検針情報を前記センタサーバに再度送信する、請求項１〜３のいずれか１項に記載の情報処理システム。
【請求項５】
前記マスタ警報装置は、前記指定検針日の検針情報の前記センタサーバへの送信が成功した場合、前記第１のメモリに記憶された前記指定検針日の検針情報を削除する、請求項１〜４のいずれか１項に記載の情報処理システム。
【請求項６】
前記マスタ警報装置は、通常時には商用電源からの電力により充電され、前記商用電源の停電時には前記マスタ警報装置の代替電源として機能する蓄電手段をさらに備える、請求項１〜５のいずれか１項に記載の情報処理システム。
【請求項７】
前記マスタ警報装置は、
前記屋内に配置されたカメラにより撮像された撮像情報をさらに取得し、
前記屋内において前記対象ガスが検出された場合に、前記第２通信手段を介して、前記取得された撮像情報を前記センタサーバに送信する、請求項１〜６のいずれか１項に記載の情報処理システム。
【請求項８】
前記マスタ警報装置は、ユーザから緊急指示を受け付けた場合、前記第２通信手段を介して、緊急情報を前記センタサーバに送信する、請求項１〜７のいずれか１項に記載の情報処理システム。
【請求項９】
前記マスタ警報装置は、
前記第１通信手段を介して、水道メータおよび電気メータの少なくとも一方のメータから指定検針日における検針情報をさらに取得し、
前記第２通信手段を介して、前記少なくとも一方のメータから取得した指定検針日の検針情報を前記センタサーバに送信する、請求項１〜８のいずれか１項に記載の情報処理システム。
【手続補正２】
【補正対象書類名】明細書
【補正対象項目名】発明の名称
【補正方法】変更
【補正の内容】
【発明の名称】情報処理システム